(57)【特許請求の範囲】
【請求項１】
画像を表示する表示部と、
原稿から画像を読み取る読取部と、
該読取部が読み取った画像に対して、階層化された機能メニューから選択される機能に応じた処理を実行する実行部と、
機能が選択されるべき階層について、選択されるべき機能に応じた処理それぞれに関連付けられた複数の実行処理画像を、前記階層及び該階層より上位の階層のそれぞれに関連付けられた小画像と共に前記表示部に表示させる表示制御部と、
前記表示部に表示された実行処理画像の選択を受け付ける受付部と、
最下層の機能メニューについて、前記受付部が受け付けた選択の選択頻度を、前記実行処理画像毎に記憶する記憶部と
を備え、
前記実行処理画像に関連する処理は、
該処理の内容に基づいてグループに分類されており、
前記記憶部は、
前記グループ毎の選択頻度を記憶するようにしてあり、
前記実行処理画像は、
前記読取部が読み取った画像に対して、該実行処理画像に関連する処理を実行することにより得られるべき処理結果を示す画像を含んでおり、
前記表示制御部は、
前記最下層の機能メニューについて、複数の前記実行処理画像を、行方向と列方向とに配列して表示し、かつ、前記実行処理画像を、前記処理の内容に基づいて分類されたグループ単位で各行に配列すると共に、各行及び各列それぞれの前記実行処理画像を、前記記憶部に記憶されたグループ毎及び実行処理画像毎の選択頻度に基づく順序で、前記表示部に行方向と列方向とに整列して表示させる構成としてある
ことを特徴とする原稿読取装置。
【請求項２】
前記表示制御部は、前記機能が選択されるべき階層に関連付けられた小画像を反転表示させる構成としてあることを特徴とする請求項１に記載の原稿読取装置。
【請求項３】
前記表示制御部は、前記実行処理画像を行方向及び列方向それぞれに移動させる小画像を、前記表示部に表示させる構成としてあることを特徴とする請求項１又は２に記載の原稿読取装置。
【請求項４】
前記受付部は、前記表示部の表示面を覆うタッチパネルであることを特徴とする請求項１から３の何れか１項に記載の原稿読取装置。
【発明の詳細な説明】
【技術分野】
【０００１】
本発明は、コピー機、スキャナ又はファクシミリ等のように、原稿を読み取って画像を取得する機能を備える原稿読取装置に関する。
【背景技術】
【０００２】
コピー機、ファクシミリ、スキャナ又はデジタル複合機等の原稿読取装置は、一般に、タッチパネル式の操作パネルを備えている。そして、操作パネルの液晶画面には、機能の選択、及び各機能の設定を行うためのメニュー画面が表示され、ユーザは、表示された画面に従って操作するようになっている。
【０００３】
このような原稿読取装置には、近年、様々な機能が搭載されており、ユーザは、原稿読取装置を使用する都度、機能の設定及び実行する処理の選択等、煩雑な操作を行う必要があった。このため、これまでに、ユーザの操作の煩雑さを解消する様々な機能が提案されている。
【０００４】
例えば、特許文献１には、ＣＤ（Compact Disk）又はビデオテープのラベルを作成する際に、選択されたテンプレートを使用して、文字又は画像を印刷する印刷システムが記載されている。そして、この印刷システムは、テンプレートの使用履歴及び使用頻度に基づく順序、例えば最近使用された順序で、テンプレートを表示する機能を備えている。
【特許文献１】特開２００５−２８４９４０号公報
【発明の開示】
【発明が解決しようとする課題】
【０００５】
特許文献１に開示されている機能により、ユーザが選択する可能性が高い順に処理を表示することができ、ユーザは、自身にとって都合のよい処理を選択し易くなった。しかしながら、ユーザにとって都合のよい順序で処理を表示しても、ユーザが処理の詳細な内容を覚えていない場合がある。このような場合、ユーザが選択した処理の結果が所望のものでない場合がある。例えば、原稿を集約して用紙に印刷する場合、集約する原稿の順番が所望の順番と異なって印刷される場合がある。このように、ユーザは、何れの操作を選択すれば、所望の処理結果が得られるのかが分かり難いという問題がある。
【０００６】
本発明はかかる事情に鑑みてなされたものであり、その目的とするところは、読み取った画像に対して操作する際に、処理結果を確認しながらの操作を可能とすることで、操作を分かり易くできる原稿読取装置を提供することにある。
【０００７】
また、本発明の他の目的とするところは、多種の処理が混在する場合であっても、ユーザが所望の処理を選択し易くできる原稿読取装置を提供することにある。
【０００８】
さらに、本発明の他の目的とするところは、直感的な操作を行うことができる原稿読取装置を提供することにある。
【課題を解決するための手段】
【０００９】
本発明に係る原稿読取装置は、画像を表示する表示部と、原稿から画像を読み取る読取部と、該読取部が読み取った画像に対して、階層化された機能メニューから選択される機能に応じた処理を実行する実行部と、機能が選択されるべき階層について、選択されるべき機能に応じた処理それぞれに関連付けられた複数の実行処理画像を、前記階層及び該階層より上位の階層のそれぞれに関連付けられた小画像と共に前記表示部に表示させる表示制御部と、前記表示部に表示された実行処理画像の選択を受け付ける受付部と、最下層の機能メニューについて、前記受付部が受け付けた選択の選択頻度を、前記実行処理画像毎に記憶する記憶部とを備え、前記実行処理画像に関連する処理は、該処理の内容に基づいてグループに分類されており、前記記憶部は、前記グループ毎の選択頻度を記憶するようにしてあり、前記実行処理画像は、前記読取部が読み取った画像に対して、該実行処理画像に関連する処理を実行することにより得られるべき処理結果を示す画像を含んでおり、前記表示制御部は、前記最下層の機能メニューについて、複数の前記実行処理画像を、行方向と列方向とに配列して表示し、かつ、前記実行処理画像を、前記処理の内容に基づいて分類されたグループ単位で各行に配列すると共に、各行及び各列それぞれの前記実行処理画像を、前記記憶部に記憶されたグループ毎及び実行処理画像毎の選択頻度に基づく順序で、前記表示部に行方向と列方向とに整列して表示させる構成としてあることを特徴とする。
【００１０】
また、本発明に係る原稿読取装置は、前記表示制御部は、前記機能が選択されるべき階層に関連付けられた小画像を反転表示させる構成としてあることを特徴とする。
さらに、本発明に係る原稿読取装置は、前記表示制御部は、前記実行処理画像を行方向及び列方向それぞれに移動させる小画像を、前記表示部に表示させる構成としてあることを特徴とする。
【００１１】
さらに、本発明に係る原稿読取装置は、前記受付部は、前記表示部の表示面を覆うタッチパネルであることを特徴とする。
【発明の効果】
【００１２】
本発明によれば、読み取った画像に対して実行する処理に関連付けられた実行処理画像が、実行処理画像が選択された頻度に基づいて配列して表示される。これにより、ユーザは、例えば、よく選択する実行処理画像を選択し易くなり、自身にとって都合のよい実行処理画像を容易に選択することができる。また、実行処理画像が、読み取った画像が処理されることで得られるべき画像を含んでいるため、ユーザは、どの実行処理画像を選択すれば、どのような処理結果が得られるかを把握できる。即ち、ユーザは、読み取った画像に対して行う処理を入力する際に、処理結果を確認しながら操作を行うことができ、操作が分かり易くなる。
【００１３】
また、本発明によれば、実行処理画像を、グループ毎に分類して表示することで、ユーザは、実行処理画像に関連付けられた処理の内容を把握しやすくなる。また、グループに分類された実行処理画像を、選択頻度に基づく順序で配列することで、グループ毎で、実行処理画像を選択し易くなる。これにより、多種の処理が混在する場合であっても、ユーザは、所望の処理に関連付けられた実行処理画像を選択し易くなる。
【００１４】
さらに、本発明によれば、タッチパネルにより、ユーザは直感的な操作を行うことができ、操作性を向上させることができる。
【発明を実施するための最良の形態】
【００１５】
以下、本発明に係る原稿読取装置の好適な実施の形態について図面を参照して説明する。
【００１６】
本実施の形態においては、原稿読取装置としてデジタル複合機を例に説明を行う。デジタル複合機は、原稿の複写を行うコピー機能、ＰＳＴＮ（Public Switched Telephone Network：公衆電話回線網）を介してデータの送受信を行うファクシミリ機能、原稿から文字又は図形等の画像を読み取り、画像データを取得するスキャナ機能、及びＬＡＮ（Local Area Network）などのネットワークを介して与えられる画像データを印刷用紙に印刷するプリンタ機能等の複数の機能を備えている。
【００１７】
図１は、本実施の形態に係るデジタル複合機の構成を示すブロック図である。デジタル複合機は、位置取得部１２、画像取得部１４、画像形成部１６、及び出力部１８を備えており、それぞれがデータバス２１を介して、後述のＣＰＵ１００及びＲＡＭ１０２に接続されている。
【００１８】
位置取得部１２は、タッチパネル１３が接続されており、ユーザが指でタッチパネル１３を押した際に、そのタッチパネル１３の押された位置を検出する。タッチパネル１３は、後述するディスプレイ１７に覆うように設けられている。タッチパネル１３は、透過性を有した材質で形成されており、ユーザは、タッチパネル１３を介してディスプレイ１７に表示される画像を視認できる。また、タッチパネル１３は、透明導電膜が設けられた素材(例えばフィルム又はガラス)を有し、透明導電膜間が向い合う方向に貼り合わせられている。そして、ユーザが指で押した時に透明導電膜同士が接触することによって信号を出力する。位置取得部１２は、タッチパネル１３から出力された信号に基づいて、ユーザがタッチパネル１３のどの位置を押したかを検出する。
【００１９】
これにより、例えば、ディスプレイ１７にアイコン又はボタン等の画像を表示し、ユーザが指でタッチパネル１３を押した位置が、ディスプレイ１７に表示された画像部分と一致する場合に、その画像に対応する処理を実行させることができる。その結果、ユーザは、物理的なボタンを実際に押すかの如く、直感的な操作を行うことができるようになる。
【００２０】
画像取得部１４は、ＣＣＤイメージセンサ１５が接続されており、原稿に印字された画像の電子的データである画像データを取得する。ＣＣＤイメージセンサ１５は、光源から原稿台にセットされた原稿に対して光が照射されたときに、原稿から反射した光を受光し、さらに電気信号に変換する。そして、画像取得部１４は、変換された電気信号をデジタルデータにさらに変換することで画像データを取得する。
【００２１】
なお、本実施の形態に係るデジタル複合機は、ユーザが、原稿を一枚ずつ原稿台にセットし原稿を読み取る以外に、ＡＤＦ（Automatic Document Feed、自動原稿送り装置）に複数頁の原稿をセットすることにより、複数頁の原稿を自動的に読み取ることが可能である。
【００２２】
画像形成部１６は、ディスプレイ１７が接続されており、ＣＰＵ１００で設定されたパラメータに基づいて、ディスプレイ１７に表示する画像を形成する。ディスプレイ１７は、画像形成部１６により形成された画像、例えば、デジタル複合機の機能をユーザが選択するための選択メニュー、各機能の設定を行うための設定メニュー、及び操作案内又は警告メッセージ等のユーザへ通知する情報等を表示する。
【００２３】
出力部１８は、印刷部１９及び通信部２０が接続されており、各部に適した信号を出力する。印刷部１９は、半導体レーザ又はＬＥＤ等の光源、トナーを付着させる感光体、及びトナーを熱又は圧力で印刷媒体へ転写して定着させる定着部等を有している。印刷部１９は、Ａ３縦、Ｂ４縦、Ａ４縦、Ｂ５横及びＡ５横等の各サイズの印刷用紙から最適なサイズのものを選択して、ＲＡＭ１０２に記憶された画像データの印刷を行う。通信部２０は、ＰＳＴＮ又はＬＡＮ等のネットワークを介して外部の通信機器とデータ通信可能に接続し、メールの送受信又はファクシミリ通信等を可能にする。
【００２４】
また、デジタル複合機は、上述の各部を制御し、デジタル複合機全体の動作を制御するＣＰＵ（Central Processing Unit）１００、ＲＯＭ（Read Only Memory）１０１、及びＲＡＭ（Random Access Memory）１０２を備えている。ＲＯＭ１０１は、処理プログラム及びデータ等が記憶される不揮発性のメモリである。ＲＡＭ１０２は、ユーザによる操作の履歴、ファクシミリ通信により受信した画像データ、及び、画像取得部１４が取得した画像データ等を一時的に記憶する揮発性のメモリである。ＣＰＵ１００は、ＲＯＭ１０１に予め記憶されたプログラム及びデータを読み出して実行することにより、デジタル複合機の各部の動作を制御する。そして、ＣＰＵ１００は、ＲＯＭ１０１に記憶されたプログラムを実行することで、読取部１１０、受付部１２０、記憶制御部１３０、実行部１４０、及び表示制御部１５０等として機能する。
【００２５】
読取部１１０は、画像取得部１４及びＣＣＤイメージセンサ１５を駆動制御し、原稿から画像データを読み取る機能を奏する。受付部１２０は、位置取得部１２が検出した、ユーザが押したタッチパネル１３の位置に基づいて、ユーザがタッチパネル１３から行った操作を受け付ける機能を奏する。記憶制御部１３０は、受付部１２０が受け付けた操作の操作履歴、画像取得部１４が取得した画像データ等をＲＡＭ１０２に記憶する機能を奏する。実行部１４０は、読取部１１０が読み取った画像データに対して、受付部１２０が受け付けたユーザの操作に基づく処理を実行する機能を奏する。表示制御部１５０は、画像形成部１６が生成した画像を、ディスプレイ１７に表示させる機能を奏する。
【００２６】
なお、受付部１２０が受け付ける操作とは、ユーザによる、コピー機能及びファクシミリ機能等の機能（以下、メイン機能という）の選択、メイン機能が有する機能（以下、サブ機能という）の選択、及び、サブ機能の設定の選択を言う。そして、操作履歴とは、各機能及び各設定がユーザにより選択された回数であって、データテーブルとしてＲＡＭ１０２に記憶される。
【００２７】
図２及び図３は、ＲＡＭ１０２に記憶されるデータテーブルを模式的に示す図である。図２は、コピー機能が有する各サブ機能の選択回数が格納されるテーブルである。図３は、コピー機能が有するサブ機能である、「小冊子」機能の各基本設定の選択回数が格納されるテーブルである。
【００２８】
図２に示すテーブルは、コピー機能が有する各サブ機能を格納するサブ機能欄と、各サブ機能の選択回数を格納する選択回数欄とを有している。サブ機能欄には、例えば、「小冊子」機能、「集約」機能、及び「パンチ」機能等が格納される。「小冊子」機能は、原稿から読み取った画像を、小冊子を作成可能にするレイアウトで用紙に印刷する機能である。「集約」機能は、一枚の印刷用紙に複数のページを集約したレイアウトで画像を印刷する機能である。「パンチ」機能は、用紙に穴又は型の打ち抜きを可能にするレイアウトで画像を印刷する機能である。選択回数欄には、各サブ機能が選択された回数が格納される。このテーブルにより、どのサブ機能が頻繁に選択されているかを把握することができる。
【００２９】
図３に示すテーブルは、「小冊子」機能を実行する際の基本設定を格納する設定欄と、各基本設定の選択回数を格納する選択回数欄とを有している。設定欄には、「左綴じ」設定、「右綴じ」設定、及び、「上綴じ」設定等が格納される。「左綴じ」設定は、左綴じした小冊子が作成可能なレイアウトで画像を用紙に印刷する設定である。「右綴じ」設定は、右綴じした小冊子が作成可能なレイアウトで画像を印刷する設定である。「上綴じ」設定は、上綴じした小冊子が作成可能なレイアウトで画像を印刷する設定である。選択回数欄には、各基本設定が選択された回数が格納される。このテーブルにより、「小冊子」機能を実行する際に、どの基本設定で頻繁に実行されているかを把握することができる。
【００３０】
次に、以上のように構成されるデジタル複合機をタッチパネル１３により操作する際に、ディスプレイ１７に表示される内容について説明する。
【００３１】
図４から図６は、デジタル複合機の操作手順を説明するための模式図であり、ディスプレイ１７に表示されるメニュー、アイコン及び画像等を模式的に図示してある。また、図４から図６は、時系列に示してある。
【００３２】
デジタル複合機が待機状態（コピー又はファクシミリの送受信等の処理を行っていない状態）の場合、ディスプレイ１７には、図示しない待機画面が表示される。待機画面では、例えば、ユーザによるデジタル複合機の操作の開始を指示し、又は、各種設定の開始を指示する。待機画面において、デジタル複合機の操作の開始が指示された場合、ディスプレイ１７には、図４から図６に示す操作画面が順に表示される。
【００３３】
なお、ディスプレイ１７にはタッチパネル１３が設けられているため、ユーザは、アイコン及びボタン等の画像が表示された画面上を押すことで、画像を選択することができる。
【００３４】
本実施の形態では、待機画面において操作されてから実行される処理は、複数のステップから構成されている。そして、図４から図６に示す操作画面は、ステップ毎に対応する操作を入力する画面である。これら操作画面では、実行中、及び、既に実行したステップを表すアイコンを表示する履歴表示領域４１、及び、実行中のステップに対応する操作を入力する操作入力領域４２が形成される。
【００３５】
まず、図４から図６に示す操作画面の操作入力領域４２に表示される内容について説明する。
【００３６】
図４に示すように、操作入力領域４２には、まず、ＡＤＦ又は原稿台へ原稿をセットするようユーザに促すためのメッセージ４３１が表示される。さらに、ユーザが原稿の読み取り開始をデジタル複合機へ指示するためのアイコン４３２、及び待機画面に表示を戻すためのアイコン４３３が表示される。アイコン４３２及びアイコン４３３には、それぞれ、「開始」及び「取消し」の文字が付されてある。そして、ユーザにより、原稿がセットされた状態でアイコン４３２が選択されることにより、原稿の読み取りが開始され、読み取り終了後、次のステップが実行される。
【００３７】
ユーザによりアイコン４３２が選択された場合、操作入力領域４２には、図５に示すように、利用するデジタル複合機のメイン機能を指示するアイコン４４１〜４４５が表示される。アイコン４４１〜４４５には、それぞれ、「コピー」、「ファクス」、「メール」、「プリンタ」、及び「保存」の文字が付されてある。ユーザは、何れかのアイコンを操作することで、コピー機能、ファクシミリ機能、メール機能、プリンタ機能、及び保存機能の何れかがデジタル複合機に指示される。そして、次のステップが実行される。
【００３８】
また、操作入力領域４２には、一つ前のステップに処理を戻すための、「取消し」の文字が付されたアイコン４４６が表示される。ユーザによりアイコン４４６が選択された場合、ディスプレイ１７には、図４に示す画面が表示される。
【００３９】
アイコン４４１〜４４５の何れかが選択された場合、操作入力領域４２には、図６に示すように、図５で選択されたメイン機能が有するサブ機能、及びサブ機能の基本設定等に対応するアイコンが表示される。本実施の形態では、図５の画面において、アイコン４４１が選択され、コピー機能が指示された場合について説明する。
【００４０】
操作入力領域４２には、コピー機能が有するサブ機能に関連するアイコンがマトリクス状（図中では、三行四列）に表示される。以下の説明では、ディスプレイ１７の画面縦方向において、画面上から順に一行目、二行目とする。また、画面横方向において、画面左から順に一列目、二列目とする。
【００４１】
各行には、サブ機能毎にグループ分けされたアイコンが配列される。具体的に、一行目には、「小冊子」機能に関連するアイコンが配列され、二行目には、「集約」機能に関連するアイコンが配列される。そして、三行目には、「パンチ」機能に関連するアイコンが配列される。
【００４２】
各行の一列目には、サブ機能の内容を示すアイコンが配置される。例えば、一行目の一列目に配置されたアイコン４５１は、「小冊子」の文字と共に、「小冊子」機能を模式的に示す画像を含んでいる。また、二行目及び三行目の一列目のアイコンは、それぞれ、「集約」及び「パンチ」の文字が付されてあり、各サブ機能を模式的に示す画像を含んでいる。ユーザは、一列目のアイコンを視認することで、どの行に何のサブ機能に関連するアイコンが配列されているかを把握できる。
【００４３】
各行の二列目、三列目及び四列目には、サブ機能の基本設定に対応するアイコンが選択可能に表示される。例えば、一行目の二列目、三列目及び四列目に配置されたアイコン４５２，４５３，４５４は、「小冊子」機能の基本設定である、「左綴じ」設定、「上綴じ」設定、及び「右綴じ」設定を指示するアイコンである。
【００４４】
アイコン４５２，４５３，４５４は、各アイコン４５２，４５３，４５４が選択された場合に、得られるべき処理結果を示す画像を含んでいる。例えば、アイコン４５２は、読み取った画像を印刷した用紙を左綴じした小冊子の画像を含んでいる。即ち、ユーザは、二列目、三列目及び四列目に配置されたアイコンに含まれる画像を視認することで、処理結果を視覚的に理解できる。そして、どのアイコンを選択すれば、どのような処理結果を得られるかを把握できる。
【００４５】
また、各アイコンは、行方向及び列方向において、サブ機能及び基本設定が選択された回数が多い順に配列される。各行には、図２に示すテーブルに基づいて、「小冊子」機能、「集約」機能及び「パンチ」機能の順に、各サブ機能に対応するアイコンが配列される。また、各行の行方向には、例えば、一行目において、図３に示すテーブルに基づいて、「左綴じ」設定、「上綴じ」設定、及び「右綴じ」設定の順に、各基本設定に対応するアイコンが配列される。
【００４６】
以上のように、各アイコンは、選択頻度の高い順、即ち、ユーザが選択する可能性が高い順にサブ機能に関連するように配列される。これにより、ユーザは、選択頻度の高いサブ機能に関連するアイコンを探し易くなるため、ユーザの利便性が向上する。なお、図６では、メイン機能がコピー機能である場合について説明しているが、メイン機能は、他の機能であってもよい。
【００４７】
操作入力領域４２には、マトリクス状に表示されたアイコンの左側に、上下対称の三角マーク４５５，４５６が表示される。ユーザにより三角マーク４５５，４５６が押されることで、行単位でアイコンが画面の上下に移動し、操作入力領域４２に表示されていない、他のサブ機能に対応するアイコンが表示される。例えば、ユーザにより三角マーク４５６が押された場合、一行目のアイコンが非表示となり、二行目及び三行目のアイコンが、それぞれ、一行目及び二行目に移動する。そして、操作入力領域４２に表示されていないアイコンが、三行目に表示される。
【００４８】
また、一行目のアイコン４５４の右側には、三角マーク４５７が表示される。そして、ユーザにより三角マーク４５７が押されることで、操作入力領域４２に表示されていない、他の基本設定に対応するアイコンが表示される。例えば、ユーザにより三角マーク４５６が押された場合、二列目のアイコン４５２が非表示となり、アイコン４５３，４５４が、それぞれ、二列目及び三列目に移動する。そして、四列目には、操作入力領域４２に表示されていないアイコンが表示される。
【００４９】
このように、ユーザは、三角マーク４５５，４５６，４５７を選択することにより、操作入力領域４２に表示しきれないアイコンを選択することができる。
【００５０】
さらに、操作入力領域４２には、ユーザが選択した内容を確定し、次のステップに処理を移すアイコン４６１と、一つ前のステップに処理を戻すアイコン４６２とが表示される。アイコン４６１及びアイコン４６２には、には、「確定」及び「取消し」の文字がそれぞれ付されてある。そして、ユーザにより、設定領域４５２に表示されるアイコンが選択された状態で、アイコン４３２が選択されることにより、次のステップが実行される。また、ユーザにより、アイコン４６２が選択されることにより、一つ前のステップが実行され、ディスプレイ１７には、図５に示す画面が表示される。
【００５１】
また、操作入力領域４２には、サブ機能のより詳細な設定を行う、「詳細設定」の文字が付されたアイコン４６３が表示される。各行の、二列目以降のアイコンに対応する基本設定は、予め内容が決められている。そして、ユーザは、アイコン４６３を選択することで、各アイコンに対応する基本設定を、ユーザが所望の内容に変更することができる。
【００５２】
次に、図４から図６に示す操作画面の履歴表示領域４１に表示される内容について説明する。
【００５３】
履歴表示領域４１には、実行中のステップ、及び、実行が終了したステップを示すアイコンが表示される。例えば、図４では、「読取」の文字が付されたアイコン４１１が、反転表示される。また、図５では、「読取」の文字が付されたアイコン４１１、及び、「機能」の文字が付されたアイコン４１２が表示される。そして、「機能」の文字が付されたアイコン４１２は、反転表示される。さらに、図６では、「読取」の文字が付されたアイコン４１１、「機能」の文字が付されたアイコン４１２、及び、「設定」の文字が付されたアイコン４１３が表示される。そして、「設定」の文字が付されたアイコン４１３は、反転表示される。
【００５４】
図４〜図６に示すように、実行中のステップを示すアイコンは、反転表示される。これにより、ユーザは、現在実行中のステップ、及び、先に終了したステップを把握できる。また、ユーザは、一連の操作において、現在どのステップまで完了しているかを把握できる。
【００５５】
また、図４〜図６の操作画面では、「各種設定」の文字が付されたアイコン４０が選択可能に表示される。アイコン４０が選択された場合には、デジタル複合機の設定、例えば、ディスプレイ１７の解像度、原稿を読み取る解像度、及び読み取る原稿の用紙サイズの設定等を行うことが可能となる。
【００５６】
次に、以上のように構成されるデジタル複合機における操作受付処理の手順について説明する。図７は、本実施の形態に係るデジタル複合機における操作受付処理の動作を示すフローチャートである。
【００５７】
デジタル複合機のＣＰＵ１００は、ＲＯＭ１０１に格納されるプログラムを実行することで、図７に示す処理を開始する。ＣＰＵ１００は、図示しない待機画面をディスプレイ１７に表示する（Ｓ１）。なお、ディスプレイ１７が画像を表示する場合、ディスプレイ１７は、ＣＰＵ１００が有する表示制御部１５０の機能により制御され、画像を表示する。以下の説明において同様であり、説明は省略する。
【００５８】
次に、ＣＰＵ１００は、待機画面においてデジタル複合機の操作の開始が指示された場合、ディスプレイ１７に、図４に示す各種画像を表示する（Ｓ２）。そして、ＣＰＵ１００は、受付部１２０により、ユーザによる操作の開始を受け付けたかを判定する（Ｓ３）。具体的には、位置取得部１２が、ユーザによるタッチパネル１３への接触位置を取得し、ＣＰＵ１００は、位置取得部１２が取得した接触位置が、ディスプレイ１７に表示したアイコン４３２の位置と一致するか否かを判定する。そして、互いの位置が一致する場合は、ＣＰＵ１００は、ユーザによるタッチパネル１３への接触が、アイコン４３２に対する接触であると判定する。
【００５９】
ユーザによる操作の開始を受け付けていない場合（Ｓ３：ＮＯ）、ＣＰＵ１００は、Ｓ３を繰り返す。この場合において、ユーザによりアイコン４０又はアイコン４３３が選択された場合には、ＣＰＵ１００は、設定画面又は開始画面の表示等、各処理を実行する。ユーザによる操作の開始を受け付けた場合（Ｓ３：ＹＥＳ）、ＣＰＵ１００は、図５に示す各種画像をディスプレイ１７に表示する（Ｓ４）。
【００６０】
そして、ＣＰＵ１００は、受付部１２０により、ユーザによる機能の選択を受け付けたかを判定する（Ｓ５）。具体的には、ユーザによりアイコン４４１〜４４５の何れかが選択されたかを判定する。ユーザによる機能の選択を受け付けていない場合（Ｓ５：ＮＯ）、ＣＰＵ１００は、Ｓ５の処理を繰り返す。この場合において、ＣＰＵ１００は、例えば、アイコン４０又はアイコン４３３が選択された場合には、ディスプレイ１７に設定画面を表示し、又は、Ｓ２から再び実行することで、処理を一つ前のステップに戻す。
【００６１】
ユーザによる機能の選択を受け付けた場合（Ｓ５：ＹＥＳ）、ＣＰＵ１００は、処理をＳ６に移す。なお、以下の説明では、Ｓ５において、コピー機能が選択されたものとする。
【００６２】
Ｓ６において、ＣＰＵ１００は、ＲＡＭ１０２に記憶されるテーブル（図２及び図３参照）から、コピー機能が有するサブ機能の選択回数、及び、各サブ機能の基本設定の選択回数をそれぞれ取得する（Ｓ６）。そして、ＣＰＵ１００は、取得した選択回数に基づいて、図６に示す各種画像をディスプレイ１７に表示する（Ｓ７）。
【００６３】
次に、ＣＰＵ１００は、受付部１２０により、ユーザによる確定の操作を受け付けたか否かを判定する（Ｓ８）。即ち、マトリクス状に配列されたアイコンの何れかが押された状態で、ユーザによりアイコン４６１が選択されたかを判定する。ユーザによる確定の操作を受け付けていない場合（Ｓ８：ＮＯ）、ＣＰＵ１００は、Ｓ８を繰り返す。この場合において、ユーザにより他のアイコンが選択された場合には、ＣＰＵ１００は、アイコンに対応する処理を実行する。例えば、三角マーク４５５、４５６、４５７が選択された場合には、ＣＰＵ１００は、上述のように、アイコンを移動させる。
【００６４】
ユーザによる確定の操作を受け付けた場合（Ｓ８：ＹＥＳ）、ＣＰＵ１００は、受付部１２０が受け付けた選択に基づいて、各サブ機能及び基本設定の選択回数を更新する（Ｓ９）。例えば、「小冊子」機能が選択され、「左綴じ」設定が選択された場合、ＣＰＵ１００は、図２及び図３に示すテーブル内の対応する選択回数欄の値に「１」を加算する。そして、ＣＰＵ１００は、更新したテーブルをＲＡＭ１０２に記憶する。
【００６５】
その後、ＣＰＵ１００は、上述した各処理で選択したパラメータに従い、実行部１４０により処理を実行する（Ｓ１０）。例えば、Ｓ５の処理で、コピー機能が選択され、Ｓ８の処理で「小冊子」機能、及び、「右綴じ」設定が選択された場合、ＣＰＵ１００は、ＡＤＦにセットされた原稿を読み込み、読み取った画像を所定のレイアウトで印刷を行う。その後、ＣＰＵ１００は、図７の処理を終了する。
【００６６】
以上説明したように、本実施の形態では、各機能及び各設定に対応するアイコンを、ユーザがこれまでに選択した選択回数に基づく順序で、ディスプレイ１７に配列している。これにより、ユーザは、よく選択する実行処理画像を選択し易くなり、自身にとって都合のよい実行処理画像を容易に選択することができる。また、各アイコンは、そのアイコンが選択され、読み取った画像に処理が実行されることで得られるべき画像を含んでいる。これにより、ユーザは、どの実行処理画像を選択すれば、どのような処理結果が得られるかを把握できる。その結果、ユーザは、処理結果を確認しながらの操作が可能となる。
【００６７】
なお、本実施の形態では、図６において、ディスプレイ１７に三行四列のアイコンを表示しているが、表示するアイコンの数は特に限定されることはにない。また、マトリクス状に表示されるアイコンは、各アイコンの選択回数に基づく順序で配列されているが、選択回数に基づく順序でなくてもよい。例えば、各アイコンを選択した日時を記憶する。そして、各機能及び設定に対応するアイコンを表示する際、最近、例えば、６時間以内に選択された回数が多いアイコンから順に配列する。この場合、連続してデジタル複合機を操作する際の、ユーザの利便性が向上する。
【００６８】
以上、本発明の好適な一実施の形態について、具体的に説明したが、各構成及び動作等は適宜変更可能であって、上述の実施の形態に限定されることはない。
【図面の簡単な説明】
【００６９】
【図１】本実施の形態に係るデジタル複合機の構成を示すブロック図である。
【図２】ＲＡＭに記憶されるデータテーブルを模式的に示す図である。
【図３】ＲＡＭに記憶されるデータテーブルを模式的に示す図である。
【図４】デジタル複合機の操作手順を説明するための模式図である。
【図５】デジタル複合機の操作手順を説明するための模式図である。
【図６】デジタル複合機の操作手順を説明するための模式図である。
【図７】本実施の形態に係るデジタル複合機における操作受付処理の動作を示すフローチャートである。
【符号の説明】
【００７０】
１３  タッチパネル
１７  ディスプレイ
４１  履歴表示領域
４２  操作入力領域
４５１，４５２，４５３，４５４，４６１，４６２，４６３  アイコン
４５５，４５６，４５７  三角マーク
【図１】
0004893577.tif 000002
【図２】
0004893577.tif 000003
【図３】
0004893577.tif 000004
【図４】
0004893577.tif 000005
【図５】
0004893577.tif 000006
【図６】
0004893577.tif 000007
【図７】
0004893577.tif 000008